(57)【特許請求の範囲】
【請求項１】
内周面に両側傾斜角度４５度程度の断面台形のネジ山（２ｂ、２ｃ）を、外周面中央にグラウト注入孔（１０）を備え、軸方向両端からねじ込まれたネジフシ鉄筋（５、６）を前記グラウト注入孔から内部に充填したグラウト（１１）により接続固定するネジフシ鉄筋用継手（１ｂ、１ｃ）において、前記ネジ山のひっかかり高さ部分の幅を削減して前記ネジ山断面を上下２段の台形又は３角形と台形とし、山頂（３ｂ、３ｃ）の幅がピッチの１５％以下となるようにしたことを特徴としてなるネジフシ鉄筋用継手。
【請求項２】
山頂（３ａ、３ｂ）の幅が点状であることを特徴としてなる請求項１記載のネジフシ鉄筋用継手。
【請求項３】
断面を上下２段の台形又は３角形と台形としたネジ山の片側を面一とすることを特徴としてなる請求項１又は２記載のネジフシ鉄筋用継手。
【発明の詳細な説明】
【０００１】
【発明の属する技術分野】
本発明はグラウトを使用するネジフシ鉄筋用継手に関する。
【０００２】
【従来の技術】
グラウトを使用するネジフシ鉄筋用継手は、特開昭６０−２５３６５０号により公知である。
この従来の継手１は、図５に示すように、内周面にネジ山２が、外周面中央にグラウト注入孔１０が形成され、軸方向両端からねじ込まれたネジフシ鉄筋５、６を、グラウト注入孔１０から内部に注入したグラウト１１を介して接続固定する方式である。断面台形のネジ山２の両側の傾斜角はπ／４ラジアン（４５度）程度であり、山頂３の幅はピッチの１７〜２７％であり、ネジの谷４の幅はピッチの３０〜４０％である。継手１にねじ込むネジフシ鉄筋５、６のネジ山７、８も同様な台形断面を有するから、継手１にネジフシ鉄筋５、６をねじ込んだとき、双方のネジ山同士の間隙は比較的小さかった。このため、グラウト注入抵抗は大きく、充填作業は容易ではなかった。又、継手１を介して接合する２つのネジフシ鉄筋５、６は、対向する先端のネジ山の位相が合致しないと、近接した状態で接合することができなかった。
【０００３】
ネジフシ鉄筋の接合強度の低下を防止するためには、先端を相互に近接させる必要があるから、接合するネジフシ鉄筋のネジ山の位相を合致させなくてはならないが、接合する２つのネジフシ鉄筋の先端ネジ山を同位相に揃えることは、鉄筋の使用上の制約となり、問題であった。
【０００４】
又、従来のネジフシ鉄筋用継手１は、ネジ山のピッチが少しでも異なるネジフシ鉄筋をねじ込んで接合することはできなかった。
【０００５】
【発明が解決しようとする課題】
本発明はこれらの問題を問題を解決するためになされたものであり、その課題は、接合する２つのネジフシ鉄筋の先端ネジ山の位相が合致しなくても相互に近接させて接合することが可能であり、又、接合する２つのネジフシ鉄筋のピッチが多少異なっていてもねじ込んで接合することができるネジフシ鉄筋用継手であって、グラウトの充填性が良好なものを提供することにある。
【０００６】
【課題を解決するための手段】
前記課題を達成するため、本発明が採用する手段は、継手のネジ山の少なくともひっかかり高さ部分の幅を、両側の傾斜角はそのままにして、山頂幅がピッチの１５％以下、好ましくは１０％以下になるように削減したことにある。ネジ山の断面は山頂幅の狭い台形となる。ネジ山のひっかかり高さ部分よりも下の幅を削減しないと、ネジ山断面は上下２段の台形又は３角形と台形となる。この上下２段の台形又は３角形と台形の片側を面一にしてもよい。山頂幅を点状にして、ネジ山のひっかかり高さ部分の断面を３角形に形成してもよい。又、ネジ山のひっかかり高さ部分よりも下の幅は必ずしも削減しなくてもよい。
【０００７】
【発明の実施の形態】
本発明のネジフシ鉄筋用継手を図面に示す第１実施例に基づいて説明する。
【０００８】
図１は第１実施例の縦断面図であり、継手１ａの内周面にはネジ山２ａが形成される。ネジ山２ａの両側の傾斜角はπ／４ラジアン（４５度）程度であり、従来のものと同じであるが、ネジ山２ａの断面は山頂３ａが点状の３角形であるから、ネジ山２ａの幅は従来のものに比べると著しく狭い。ネジ山２ａのピッチは従来のものと同じであるから、ネジの谷４ａの幅は従来のものに比べると著しく広い。
【０００９】
継手１ａの両側から継手１と同じピッチのネジ山７、８を有する２つのネジフシ鉄筋５、６の端部がねじ込まれる。このとき、２つのネジフシ鉄筋５、６の先端のネジ山７、８の位相が相互にずれていても、例えば、図１に示すように、先端のネジ山７、８の位相が角度でπラジアン、ピッチで１／２ずれていても、継手１ａはネジの谷４ａの幅が著しく広いため、２つのネジフシ鉄筋５、６の先端同士を近接させて接合することができる。したがって、継手内のネジフシ鉄筋先端の離間幅が広いことによる接合強度の低下は未然に防止される。
【００１０】
図２は第１実施例の継手の要部の拡大縦断面図であり、ピッチの異なるネジフシ鉄筋を接合する状態を示す。図において、左側のネジフシ鉄筋５のネジ山７のピッチは、継手１ａのネジ山２のピッチと同じであるが、右側のネジフシ鉄筋６ａのネジ山８ａのピッチは、継手１のネジ山２ａのピッチとは異なる。しかし、継手１ａのネジの谷４ａの幅が著しく広く、継手１ａの中央から右側の挿入口までに、累積するネジ山２ａとネジ山８ａのピッチ差を吸収するから、すなわち、継手１ａの谷４ａの幅からネジフシ鉄筋６ａの山頂幅を引いた値が、ピッチ差と継手１ａの中央から挿入口までのネジ山数との積よりも大きいから、ピッチの異なるネジフシ鉄筋６ａを中央までねじ込んで、対向するネジ鉄筋５と近接させることができる。
【００１１】
このように、継手１ａは著しく広幅なネジの谷４ａを有するから、挿入したネジフシ鉄筋５、６と継手１ａのネジ山同士の間隙は従来よりも大きくなるが、この間隙にはグラウト１１が充填されるから、接合強度が低下するおそれはない。このネジフシ鉄筋５、６と継手１ａのネジ山同士の間隙が従来よりも大きくなることにより、グラウト注入抵抗は従来よりも小さくなり、グラウトの充填性が向上する。その結果、グラウト１１を継手１ａの外周面中央に設けたグラウト注入孔１０から内部に充填する作業は至極容易となる。
【００１２】
【実施例】
次に他の実施例について説明する。
【００１３】
図３に示す第２実施例の継手１ｂは断面において台形の上に３角形を重ねた形状のネジ山２ｂを有する。ネジ山２ｂの山頂３ｂは点状であり、ネジの谷は深い谷４ｂと浅い谷９ｂの二重である。浅い谷９ｂの深さは、ネジ山２ｂのひっかかり高さに等しいか又はそれより少し大きい。深い谷４ｂの幅は従来のものと同じであるが、深い谷４ｂと浅い谷９を合わせたネジの谷幅は、前記実施例のものと同じであるから、前記実施例と同様に、接合する２つのネジフシ鉄筋の先端は、ネジ山の位相がずれていても、中央において近接可能である。又、継手１ｂのピッチと多少ピッチが異なるネジフシ鉄筋もねじ込んで接合することができる。
【００１４】
図示した実施例は、断面において、ネジ山２ｂを形成する台形と３角形の片側を連続に反対側を不連続の階段状としたが、両側を共に不連続の階段状としてもよい。
【００１５】
図４に示す第３実施例の継手１ｃは、断面において、広幅な台形の上に狭幅な台形を重ねた形状のネジ山２ｃを有し、山頂３の幅はピッチの約１０％である。このねじ山２ｃは、第２実施例と同様に、深い谷４ｃと浅い谷９ｃからなる。浅い谷９の深さは、ネジのひっかかり高さに等しいか又はそれよりも少し大きく、深い谷４ｃと浅い谷９を合わせたネジの谷幅は、前記実施例よりも少し狭いが、従来のものに比べると広いから、前記実施例と同様な効果を奏する。
【００１６】
又、図示した実施例のネジ山２ｃは、断面において、上下に重なる２つの広幅と狭幅の台形の両側が不連続の階段状であるが、片側を面一に連続させることも可能である。
【００１７】
【発明の効果】
上記のとおり、本発明のネジフシ鉄筋用継手は、ネジ山の少なくともひっかかり高さ部分の幅を、山頂幅がピッチの１５％以下になるように削減したから、使用上、次のような優れた効果を奏する。
１．グラウトの充填性が向上し、グラウト充填作業が容易になる。
２．ねじ込んで接合する２つのネジフシ鉄筋は、先端のネジ山の位相の一致、不一致には関係なく、継手内の中央で常に先端を近接させて接合することができる。
３．従来、ねじ込んで接合することができなかった継手とピッチの異なる鉄筋もねじ込んで接合することができる。
【図面の簡単な説明】
【図１】本発明のネジフシ鉄筋用継手の第１実施例を示す縦断面図であり、同じピッチのネジフシ鉄筋の接合状態を示す。
【図２】第１実施例の要部の拡大縦断面図であり、ピッチの異なるネジフシ鉄筋の接合状態を示す。
【図３】第２実施例のネジ山の拡大断面図である。
【図４】第３実施例の図３に相当する図である。
【図５】従来例のネジフシ鉄筋用継手の図１に相当する図である。
【符号の説明】
１、１ａ、１ｂ、１ｃ：継手
２、２ａ、２ｂ、２ｃ：ネジ山
３、３ａ、３ｂ、３ｃ：山頂
４、４ａ、４ｂ、４ｃ：谷
５、６、６ａ：ネジフシ鉄筋
７、８、８ａ：ネジ山
９、９ｂ、９ｃ：谷
１０：グラウト注入孔
１１：グラウト
【図１】
0003807604.tif 000002
【図２】
0003807604.tif 000003
【図３】
0003807604.tif 000004
【図４】
0003807604.tif 000005
【図５】
0003807604.tif 000006